(57)【要約】 【課題】導入チューブの先端の挿入部分が極限まで細くなり、挿入しやすくて操作が容易であり、患者への苦痛を和らげることができるようにしたカテーテルおよびカテーテルキットを提供する。【解決手段】導入チューブ２０の先端に抜け止めのための膨張収縮可能なバルーン５０が装備され、バルーン５０はゴム風船状で、前記導入チューブ２０の先端部２７に、該先端部２７から先に伸びるように装着されている。【選択図】図１
2007068774.tif 000002
【特許請求の範囲】
【請求項１】
導入チューブの先端に抜け止めのための膨張収縮可能なバルーンが装備された、臓器の内部に栄養等を導入するためのカテーテルにおいて、
前記バルーンはゴム風船状で、前記導入チューブの先端部に、該先端部から先に伸びるように装着されていることを特徴とするカテーテル。
【請求項２】
導入チューブの先端に抜け止めのための膨張収縮可能なバルーンが装備された、臓器の内部に栄養等を導入するためのカテーテルにおいて、
前記バルーンはゴム風船状で、前記導入チューブの先端部に、該先端部から先に伸びるように装着され、膨張したとき、前記導入チューブの先端の導出口より先に位置し、該導出口が連通する導出管路を形成することを特徴とするカテーテル。
【請求項３】
導入チューブの先端に抜け止めのための膨張収縮可能なバルーンが装備された、臓器の内部に栄養等を導入するためのカテーテルにおいて、
前記導入チューブには、導入管路と、前記バルーンへ空気を導通させる空気通路とが設けられ、
前記バルーンはゴム風船状で、前記導入チューブの先端部に、該先端部から先に伸びるように装着され、膨張したとき、前記導入チューブの先端の導出口より先に位置し、該導出口が連通する導出管路を形成することを特徴とするカテーテル。
【請求項４】
導入チューブの先端に抜け止めのための膨張収縮可能なバルーンが装備された、臓器の内部に栄養等を導入するためのカテーテルにおいて、
前記導入チューブには、導入管路と、前記バルーンへ空気を導通させる空気通路とが設けられ、
前記バルーンはゴム風船状で、前記導入チューブの先端部に、該先端部から先に伸びるように装着され、膨張したとき、前記導入チューブの先端の導出口より先に位置して該導出口が連通する導出管路を形成し、収縮したときの周端部に、前記導入チューブの導入管路から挿通される挿入補助棒の受け部が設けられていることを特徴とするカテーテル。
【請求項５】
前記導入チューブの注入端部側に空気導通栓部が設けられ、該空気導通栓部は、前記バルーンへ空気を導通させる空気通路の端部に接続し、注射筒をセットしたときのみ該空気通路を外部に導通させることを特徴とする請求項３または４に記載のカテーテル。
【請求項６】
前記バルーンは前記導入チューブの先に全体として錐状に伸びるよう変形可能なことを特徴とする請求項１，２，３または４に記載のカテーテル。
【請求項７】
請求項４に記載のカテーテルと挿入補助棒とを組み合わせたカテーテルキット。
【発明の詳細な説明】
【技術分野】
【０００１】
本発明は、導入チューブの先端に抜け止めのための膨張収縮可能なバルーンが装備された、臓器の内部に栄養等を導入するためのカテーテルおよびカテーテルキットに関する。
【背景技術】
【０００２】
従来の技術としては、例えば特許文献１に示すようなものがある。  
すなわち、同文献には、カテーテル本体である導入チューブの先端部に、膨張するとカテーテル本体の先端より前にせり出すバルーンが取り付けられ、バルーンは、カテーテル本体に重なるよう折り返すことなく接着されている技術が開示されている。
【０００３】
【特許文献１】特開２００４−４１３４９号公報
【発明の開示】
【発明が解決しようとする課題】
【０００４】
しかしながら、このような従来の技術では、バルーンがカテーテル本体である導入チューブの先端部に折り返されてはいないけれども、全体としては重ねて設けてあり、全体として挿入する部分の肉厚が厚くなり、形態的に挿入時に先端部が導入チューブより太いものとなり、挿入しにくく、取り扱いが面倒であり、また、患者に苦痛を与えるおそれがあるという問題点があった。
【０００５】
本発明は、このような従来の技術が有する問題点に着目してなされたもので、導入チューブの先端の挿入部分が極限まで細くなり、挿入しやすくて操作が容易であり、患者への苦痛を和らげることができるようにしたカテーテルおよびカテーテルキットを提供することを目的としている。
【課題を解決するための手段】
【０００６】
かかる目的を達成するための本発明の要旨とするところは、次の各項の発明に存する。
［１］導入チューブ（２０）の先端に抜け止めのための膨張収縮可能なバルーン（５０）が装備された、臓器の内部に栄養等を導入するためのカテーテル（１０）において、
前記バルーン（５０）はゴム風船状で、前記導入チューブ（２０）の先端部（２７）に、該先端部（２７）から先に伸びるように装着されていることを特徴とするカテーテル（１０）。
【０００７】
［２］導入チューブ（２０）の先端に抜け止めのための膨張収縮可能なバルーン（５０）が装備された、臓器の内部に栄養等を導入するためのカテーテル（１０）において、
前記バルーン（５０）はゴム風船状で、前記導入チューブ（２０）の先端部（２７）に、該先端部（２７）から先に伸びるように装着され、膨張したとき、前記導入チューブ（２０）の先端の導出口（２８）より先に位置し、該導出口（２８）が連通する導出管路（５１）を形成することを特徴とするカテーテル（１０）。
【０００８】
［３］導入チューブ（２０）の先端に抜け止めのための膨張収縮可能なバルーン（５０）が装備された、臓器の内部に栄養等を導入するためのカテーテル（１０）において、
前記導入チューブ（２０）には、導入管路（２１）と、前記バルーン（５０）へ空気を導通させる空気通路（２５）とが設けられ、
前記バルーン（５０）はゴム風船状で、前記導入チューブ（２０）の先端部（２７）に、該先端部（２７）から先に伸びるように装着され、膨張したとき、前記導入チューブ（２０）の先端の導出口（２８）より先に位置し、該導出口（２８）が連通する導出管路（５１）を形成することを特徴とするカテーテル（１０）。
【０００９】
［４］導入チューブ（２０）の先端に抜け止めのための膨張収縮可能なバルーン（５０）が装備された、臓器の内部に栄養等を導入するためのカテーテル（１０）において、
前記導入チューブ（２０）には、導入管路（２１）と、前記バルーン（５０）へ空気を導通させる空気通路（２５）とが設けられ、
前記バルーン（５０）はゴム風船状で、前記導入チューブ（２０）の先端部（２７）に、該先端部（２７）から先に伸びるように装着され、膨張したとき、前記導入チューブ（２０）の先端の導出口（２８）より先に位置して該導出口（２８）が連通する導出管路（５１）を形成し、収縮したときの周端部（５２）に、前記導入チューブ（２０）の導入管路（２１）から挿通される挿入補助棒（６０）の受け部（５５）が設けられていることを特徴とするカテーテル（１０）。
【００１０】
［５］前記導入チューブ（２０）の注入端部側に空気導通栓部（３０）が設けられ、該空気導通栓部（３０）は、前記バルーン（５０）へ空気を導通させる空気通路（２５）の端部に接続し、注射筒（Ｉ）をセットしたときのみ該空気通路（２５）を外部に導通させることを特徴とする［３］または［４］に記載のカテーテル（１０）。
【００１１】
［６］前記バルーン（５０）は前記導入チューブ（２０）の先に全体として錐状に伸びるよう変形可能なことを特徴とする［１］，［２］，［３］または［４］に記載のカテーテル（１０）。
【００１２】
［７］［４］に記載のカテーテル（１０）と挿入補助棒（６０）とを組み合わせたカテーテルキット。
【００１３】
前記本発明は次のように作用する。
カテーテル（１０）は、臓器の内部に栄養等を導入するためのものであり、胃瘻や腸瘻等の瘻孔（Ｈ）から臓器内に導入チューブ（２０）を通して栄養等を注入する。導入チューブ（２０）の先端に装備されたゴム風船状のバルーン（５０）は、カテーテル（１０）の装着時には収縮され、導入チューブ（２０）の先端部（２７）より先に伸びるよう押し伸ばして、先端の細い錐状の状態で、カテーテル（１０）の先端部（２７）が胃瘻や腸瘻から臓器内に挿入される。挿入後は、バルーン（５０）は胃瘻や腸瘻より大きく膨張され、導入チューブ（２０）の抜け止めをする。
【００１４】
詳しくは、カテーテル（１０）を患者に装着するとき、導入チューブ（２０）に導入管路（２１）と併設された空気通路（２５）からバルーン（５０）内の空気が抜かれ、バルーン（５０）が収縮して空気の抜けたゴム風船のような状態になる。
【００１５】
この状態で、導入チューブ（２０）の導入管路（２１）に挿入補助棒（６０）を挿通し、バルーン（５０）の周端部（５２）の受け部（５５）に挿入補助棒（６０）が受け止められ、挿入補助棒（６０）を押し進めると、バルーン（５０）は、導入チューブ（２０）の先端部（２７）より先に伸びるよう押し伸ばされ、先端の細い錐状の状態に変形する。この状態で導入チューブ（２０）の先端部（２７）を胃瘻や腸瘻から臓器内に挿通すると円滑に優しく挿入することができ、装着が容易で患者に負担を掛けることがなく、医療事故の発生の心配もなくなる。
【００１６】
バルーン（５０）内への空気の入出は、導入チューブ（２０）の注入端部側の空気導通栓部（３０）を通して行なわれる。バルーン（５０）へ空気を導通させる空気通路（２５）の端部に接続した空気導通栓部（３０）は、注射筒（Ｉ）を装着したときのみ空気通路（２５）を外部に導通させる。
【００１７】
バルーン（５０）内の空気を抜くときは、注射筒（Ｉ）内に空気を吸い込むようにしてバルーン（５０）がぺしゃんこにつぶれるまで空気を抜く。この状態で前記のように導入チューブ（２０）の先端を臓器内に挿入する。
【００１８】
カテーテル（１０）の装着状態において、ゴム風船状のバルーン（５０）は、導入チューブ（２０）の先端の導出口（２８）より先に位置し、この導出口（２８）が連通する導出管路（５１）から栄養等を臓器内に導出する。臓器の内壁にバルーン（５０）が接するようなことがあっても、導入チューブ（２０）が直接接することはなく、バルーン（５０）が柔らかいゴム風船状であるので臓器に対して良くない作用をすることがない。
【００１９】
カテーテル（１０）と挿入補助棒（６０）とを組み合わせたカテーテルキットは、そのまま医療に利用できるので便宜であり、また適切な用具であるので操作の失敗がなく安全である。
【発明の効果】
【００２０】
本発明にかかるカテーテルおよびカテーテルキットによれば、カテーテル装着時に、バルーンは、導入チューブの先端部より先に伸びるよう押し伸ばされ、先端の細い錐状の状態に変形された状態で導入チューブの先端部を胃瘻や腸瘻から臓器内に挿通するので、円滑に優しく挿入することができ、装着が容易で患者に負担を掛けることがなく、医療事故の発生の心配もなくなる。
【００２１】
カテーテルの装着状態において、ゴム風船状のバルーンは、導入チューブの先端の導出口より先に位置しており、臓器の内壁にバルーンが接するようなことがあっても、導入チューブが直接接することはなく、バルーンが柔らかいゴム風船状であるので臓器に対して良くない作用をすることがない。
【００２２】
カテーテルと挿入補助棒とを組み合わせたカテーテルキットとすれば、そのまま医療に利用できるので便宜であり、また適切な用具であるので操作の失敗がなく安全である。
【発明を実施するための最良の形態】
【００２３】
以下、図面に基づき本発明の好適な一実施の形態を説明する。
各図は本発明の一実施の形態を示している。  
図１はカテーテル１０に注射筒Ｉをセットした状態の断面を示しており、図２はカテーテル１０の外形図である。図に示すように、カテーテル１０は、導入チューブ２０の先端に抜け止めのための膨張収縮可能なバルーン５０が装備されて成り、臓器の内部に栄養等を導入するためのものである。
【００２４】
カテーテル１０の導入チューブ２０の入口側には漏斗状に拡径した注入口１５が形成されており、注入口１５に栄養等が注入されるようになっている。
【００２５】
導入チューブ２０には、導入管路２１と、バルーン５０へ空気を導通させる空気通路２５とが設けられている。空気通路２５は空気を通すことが出来る程度の極めて細いものとなっている。
【００２６】
導入チューブ２０の注入端部側の注入口１５に隣接してＹ字状に分岐するようにして空気導通栓部３０が設けられている。空気導通栓部３０は、バルーン５０へ空気を導通させる空気通路２５の端部に接続し、注射筒Ｉをセットしたときのみ空気通路２５を外部に導通させるよう構成されている。例えば、逆止弁を有していて、注射筒Ｉを差し込むと空気が流通するようになっている。
【００２７】
バルーン５０はゴム風船状で、導入チューブ２０の先端部２７に、該先端部２７から先に伸びるように装着されている。すなわち、バルーン５０の弾性薄膜が導入管路２１の先端部２７を内外から挟むように接合され、空気が抜かれたとき、先端部２７を輪状に取り巻いたドーナツをつぶした様な形状をしている。バルーン５０は導入チューブ２０の先に全体として錐状に伸びるよう変形可能である。
【００２８】
図２および図３で解るように、バルーン５０は、膨張したとき、導入チューブ２０の先端の導出口２８より先に位置したドーナツ形で、導出口２８が連通する導出管路５１が中央部に形成されるようになっている。
【００２９】
バルーン５０の収縮したときの周端部５２に、図４に示すように、導入チューブ２０の導入管路２１から挿通される挿入補助棒６０の受け部５５が設けられている。
【００３０】
挿入補助棒６０は、ロッド部６１に把持頭部６２が設けられ、先端部６３は受け部５５に嵌まり込む形状となっている。これに対し、受け部５５は、挿入補助棒６０の先端部６３を受け止め、図４で解るように角度的に変位しても外れない形状に形成されている。
【００３１】
図４は錐状になる前の状態であり、この状態から把持頭部６２を押して先端部６３を突き出すようにすると、図４においてめくれ上がっている反対側も引かれて全体として先のとがった錐状になる。
【００３２】
次に作用を説明する。  
カテーテル１０は、臓器の内部に栄養等を導入するためのものであり、胃瘻や腸瘻等の瘻孔Ｈから臓器内に導入チューブ２０を通して栄養等を注入する。
【００３３】
すなわち、図４に示すように、腹壁Ａと胃壁Ｓに瘻孔Ｈが開けられ、カテーテル１０は瘻孔Ｈに先端部から挿通される。
【００３４】
導入チューブ２０の先端に装備されたゴム風船状のバルーン５０は、カテーテル１０の装着時には収縮され、導入チューブ２０の先端部２７より先に伸びるよう押し伸ばして、先端の細い錐状の状態で、カテーテル１０の先端部２７が瘻孔Ｈから臓器内に挿入される。挿入後は、図３に示すように、バルーン５０は胃瘻や腸瘻より大きく膨張され、導入チューブ２０の抜け止めをする。
【００３５】
図１に示すように、カテーテル１０を患者に装着する前に、注射筒Ｉを空気導通栓部３０に差し込み、導入チューブ２０に導入管路２１と併設された空気通路２５からバルーン５０内の空気を完全に抜く、それにより、バルーン５０が収縮して空気の抜けたゴム風船のような状態になる。バルーン５０は中心部に導出管路５１を形成するので、ドーナツをつぶしたような形状になる。
【００３６】
バルーン５０内の空気を抜くときは、注射筒Ｉを用い空気を吸い込むようにしてバルーン５０がぺしゃんこにつぶれるまで空気を抜く。この状態で前記のように導入チューブ２０の先端を臓器内に挿入する。
【００３７】
バルーン５０内への空気の入出は、導入チューブ２０の注入端部側の空気導通栓部３０を通して行なわれる。バルーン５０へ空気を導通させる空気通路２５の端部に接続した空気導通栓部３０は、注射筒Ｉをセットして注射筒Ｉを差し込んだときのみ空気通路２５を外部に導通させる。
【００３８】
バルーン５０から空気を抜いた状態で、導入チューブ２０の導入管路２１に挿入補助棒６０を挿通すると、挿入補助棒６０の先端は、バルーン５０の周端部５２の受け部５５に嵌め込んで受け止められる。挿入補助棒６０を押し進めると、バルーン５０は、導入チューブ２０の先端部２７より先に伸びるよう押し伸ばされ、先端の細い錐状の状態に変形する。
【００３９】
この状態で導入チューブ２０の先端部２７を胃瘻や腸瘻から臓器内に挿通すると円滑に優しく挿入することができ、装着が容易で患者に負担を掛けることがなく、医療事故の発生の心配もなくなる。
【００４０】
図４は、挿入補助棒６０を少し抜き始めた状態であり、挿入補助棒６０を突き出したとき、バルーン５０の一部は挿入補助棒６０の把持頭部６２に沿って、全体として先端のとがった形状となる。
【００４１】
図４の状態から、挿入補助棒６０を抜き出し、図３に示すように、空気導通栓部３０に注射筒Ｉをセットして、バルーン５０内に空気通路２５から空気を吹き込み、バルーン５０を膨らませる。膨らんだバルーン５０は中心部に導出管路５１を形成したドーナツ形状をしている。カテーテル１０の注入口１５には栄養管等を接続する。
【００４２】
カテーテル１０の装着状態において、ゴム風船状のバルーン５０は、導入チューブ２０の先端の導出口２８より先に位置し、この導出口２８が連通する導出管路５１から栄養等を臓器内に導出する。臓器の内壁にバルーン５０が接するようなことがあっても、導入チューブ２０が直接接することはなく、バルーン５０が柔らかいゴム風船状であるので臓器に対して良くない作用をすることがない。
【００４３】
カテーテル１０と挿入補助棒６０とを組み合わせたカテーテルキットは、そのまま医療に利用できるので便宜であり、また適切な用具であるので操作の失敗がなく安全である。
【図面の簡単な説明】
【００４４】
【図１】本発明の一実施の形態に係るカテーテルを断面で示した説明図である。
【図２】本発明の一実施の形態に係るカテーテルをバルーンを膨らませた状態で示した正面図である。
【図３】本発明の一実施の形態に係るカテーテルを瘻孔から差し込んでバルーンを膨らませている状態を示す説明図である。
【図４】本発明の一実施の形態に係るカテーテルを瘻孔から差し込んで挿入補助棒を抜いている状態を示す説明図である。
【符号の説明】
【００４５】
Ａ…腹壁
Ｈ…瘻孔
Ｉ…注射筒
Ｓ…胃壁
１０…カテーテル
１５…注入口
２０…導入チューブ
２１…導入管路
２５…空気通路
２７…先端部
２８…導出口
３０…空気導通栓部
５０…バルーン
５１…導出管路
５２…周端部
５５…受け部
６０…挿入補助棒
６１…ロッド部
６２…把持頭部
６３…先端部
【図１】
2007068774.tif 000003
【図２】
2007068774.tif 000004
【図３】
2007068774.tif 000005
【図４】
2007068774.tif 000006
【手続補正書】
【提出日】平成17年9月13日(2005.9.13)
【手続補正１】
【補正対象書類名】図面
【補正対象項目名】図１
【補正方法】変更
【補正の内容】
【図１】
2007068774.tif 000007
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
導入チューブの先端に抜け止めのための膨張収縮可能なバルーンが装備された、臓器の内部に栄養等を導入するためのカテーテルにおいて、
前記導入チューブには、導入管路と、前記バルーンへ空気を導通させる空気通路とが設けられ、
前記バルーンはゴム風船状で、前記導入チューブの先端部に、該先端部から先に伸びるように装着され、膨張したとき、前記導入チューブの先端の導出口より先に位置して該導出口が連通する導出管路を形成し、収縮したときの周端部に、前記導入チューブの導入管路から挿通される挿入補助棒の受け部が設けられていることを特徴とするカテーテル。
【請求項２】
請求項１に記載のカテーテルと挿入補助棒とを組み合わせたカテーテルキット。
【手続補正２】
【補正対象書類名】明細書
【補正対象項目名】０００６
【補正方法】変更
【補正の内容】
【０００６】
かかる目的を達成するための本発明の要旨とするところは、次の各項の発明に存する。
［１］導入チューブ（２０）の先端に抜け止めのための膨張収縮可能なバルーン（５０）が装備された、臓器の内部に栄養等を導入するためのカテーテル（１０）において、
前記導入チューブ（２０）には、導入管路（２１）と、前記バルーン（５０）へ空気を導通させる空気通路（２５）とが設けられ、
前記バルーン（５０）はゴム風船状で、前記導入チューブ（２０）の先端部（２７）に、該先端部（２７）から先に伸びるように装着され、膨張したとき、前記導入チューブ（２０）の先端の導出口（２８）より先に位置して該導出口（２８）が連通する導出管路（５１）を形成し、収縮したときの周端部（５２）に、前記導入チューブ（２０）の導入管路（２１）から挿通される挿入補助棒（６０）の受け部（５５）が設けられていることを特徴とするカテーテル（１０）。
【手続補正３】
【補正対象書類名】明細書
【補正対象項目名】０００７
【補正方法】変更
【補正の内容】
【０００７】
［２］［１］に記載のカテーテル（１０）と挿入補助棒（６０）とを組み合わせたカテーテルキット。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】